(57)【要約】      （修正有）【課題】表示部の回転によるセンサの誤検知を低減することが可能な撮像装置を提供する。【解決手段】撮像装置１は、回転可能な表示部２０と、収納位置と使用位置との間で移動可能な接眼部１３０とを備え、接眼部１３０が使用位置にある状態で表示部２０を基準位置から所定の角度だけ回転させると、表示部２０が、接眼部１３０または接眼部１３０の移動に連動して移動する突出部と当接し、表示部２０の回転が制限されるようにした。【選択図】図１０
2020091406.tif 000002
【特許請求の範囲】
【請求項１】
回転可能な表示部と、
収納位置と使用位置との間で移動可能な接眼部と、
前記接眼部が前記使用位置にある状態で前記表示部の回転を制限する制限部と、を有することを特徴とする撮像装置。
【請求項２】
前記制限部は、前記接眼部であり、
前記接眼部が前記使用位置にある状態で前記表示部を基準位置から所定の角度だけ回転させると、前記表示部が前記接眼部に当接して前記表示部の前記回転が制限されることを特徴とする請求項１に記載の撮像装置。
【請求項３】
前記制限部は、前記接眼部の移動に連動して移動する突出部であり、
前記接眼部が前記使用位置にある状態で前記表示部を基準位置から所定の角度だけ回転させると、前記表示部が前記制限部に当接して前記表示部の前記回転が制限されることを特徴とする請求項１に記載の撮像装置。
【請求項４】
前記所定の角度は、９０°であることを特徴とする請求項２または３に記載の撮像装置。
【請求項５】
前記接眼部が前記使用位置に移動したことを検知する第１の検知手段と、
物体の近接を検知する第２の検知手段と、
前記物体が前記第２の検知手段へ近接した際に所定の制御を行う制御手段と、を更に有し、
前記制御手段は、
前記第１の検知手段が前記接眼部の前記使用位置への移動を検知した場合、前記所定の制御を行い、
前記第１の検知手段が前記接眼部の前記使用位置への移動を検知していない場合、前記所定の制御を行わないことを特徴とする請求項１乃至４のいずれか１項に記載の撮像装置。
【請求項６】
前記所定の制御は、
前記第２の検知手段が前記物体の近接を検知した場合、前記表示部に表示を行わず、前記接眼部に表示を行う制御であり、
前記第２の検知手段が前記物体の近接を検知していない場合、前記接眼部に表示を行わず、前記表示部の表示を行う制御であることを特徴とする請求項５に記載の撮像装置。
【請求項７】
前記制限部が前記表示部の回転を制限している状態において、前記撮像装置の本体は、前記第２の検知手段による前記物体の検知範囲の外側に位置していることを特徴とする請求項５または６に記載の撮像装置。
【請求項８】
前記第２の検知手段は、前記表示部の上方に配置されていることを特徴とする請求項５乃至７のいずれか１項に記載の撮像装置。
【請求項９】
前記第２の検知手段は、前記接眼部の下部から退避した位置に配置されていることを特徴とする請求項８に記載の撮像装置。
【請求項１０】
前記第２の検知手段は、前記撮像装置の本体の背面側上方に配置されていることを特徴とする請求項５乃至７のいずれか１項に記載の撮像装置。
【請求項１１】
前記第２の検知手段は、前記接眼部に配置されていることを特徴とする請求項５乃至７のいずれか１項に記載の撮像装置。
【請求項１２】
前記接眼部は、前記収納位置から前記撮像装置の本体内部の位置に移動可能であることを特徴とする請求項１乃至１１のいずれか１項に記載の撮像装置。
【請求項１３】
前記表示部は、前記撮像装置の背面に設けられた液晶ディスプレイであり、
前記接眼部は、電子ビューファインダを構成することを特徴とする請求項１乃至１２のいずれか１項に記載の撮像装置。
【発明の詳細な説明】
【技術分野】
【０００１】
本発明は、複数の表示部を備えた撮像装置に関する。
【背景技術】
【０００２】
従来、回転可能な表示部を備えた撮像装置が知られている。このような撮像装置の中には、背面に設けられた表示部の表示面を被写体側に向けてユーザ自身が被写体像を確認しながら撮影を行う、いわゆる自分撮り撮影に適した撮影ポジションを提供することが可能に構成されたものがある。また、回転可能な表示部とは別に、接眼部を備えた電子ビューファインダを有する撮像装置が知られている。
【０００３】
特許文献１には、回転可能な表示部に加えて、撮像装置の本体に収納された収納状態と本体から突出した使用状態との間における状態移行が可能な電子ビューファインダを有する撮像装置が開示されている。また特許文献１には、センサを用いて顔等の物体が近接したことを検知した場合、電子ビューファインダへの画像表示を開始し、背面に設けられた表示部への画像表示を停止する方法が開示されている。
【先行技術文献】
【特許文献】
【０００４】
【特許文献１】特開２０１５−２２７９０１号公報
【発明の概要】
【発明が解決しようとする課題】
【０００５】
しかしながら、特許文献１に開示された撮像装置では、背面に設けられた表示部を上方に例えば１８０°回転させた場合、センサの検知範囲内に撮像装置の本体が入り込む可能性がある。その結果、センサが誤検知し、表示部における表示が意図せずに停止されてしまう。
【０００６】
そこで本発明は、表示部の回転によるセンサの誤検知を低減することが可能な撮像装置を提供することを目的とする。
【課題を解決するための手段】
【０００７】
本発明の一側面としての撮像装置は、回転可能な表示部と、収納位置と使用位置との間で移動可能な接眼部と、前記接眼部が前記使用位置にある状態で前記表示部の回転を制限する制限部とを有する。
【０００８】
本発明の他の目的及び特徴は、以下の実施形態において説明される。
【発明の効果】
【０００９】
本発明によれば、表示部の回転によるセンサの誤検知を低減することが可能な撮像装置を提供することができる。
【図面の簡単な説明】
【００１０】
【図１】実施例１における撮像装置の斜視図である。
【図２】実施例１における表示装置の分解斜視図である。
【図３】実施例１におけるヒンジ装置の分解斜視図である。
【図４】実施例１における撮像装置の分解斜視図である。
【図５】実施例１における撮像装置の背面斜視図である。
【図６】実施例１における電子ビューファインダの分解斜視図である。
【図７】実施例１における電子ビューファインダのベースユニットの分解斜視図およびベースの断面図である。
【図８】実施例１における電子ビューファインダの側面図である。
【図９】実施例１における撮像装置の側面図である。
【図１０】実施例１における撮像装置の側面図である。
【図１１】実施例２における撮像装置の横断面図である。
【発明を実施するための形態】
【００１１】
以下、本発明の実施例について、図面を参照しながら詳細に説明する。
【実施例１】
【００１２】
まず、図１を参照して、本発明の実施例１における撮像装置について説明する。図１は、撮像装置１の斜視図である。図１（ａ）は撮像装置１の正面斜視図を示す。撮像装置１は、光学像（被写体像）を光電変換して画像データを生成するＣＣＤイメージセンサやＣＭＯＳイメージセンサ等の撮像素子（不図示）を有する。撮像装置１には、被写体像を撮像素子に結像する撮影レンズ（撮像光学系）を有する鏡筒ユニット（レンズユニット）２が固定されている。鏡筒ユニット２は、沈胴式であり、撮影の際に撮像装置１から繰り出され、収納の際に図１（ａ）に示されるように撮像装置１の内部に沈胴する。また撮像装置１には、撮像素子で生成された画像データをデジタル情報に変換する処理回路を備えた不図示の主基板や補助基板等が実装されている。
【００１３】
なお本実施例の撮像装置１において、撮像素子を備えた撮像装置本体と鏡筒ユニット２とが一体的に構成されているが、本発明はこれに限定されるものではない。本発明は、撮像装置本体と、撮像装置本体に着脱可能な鏡筒ユニット（レンズ装置）とを備えた撮像装置（カメラシステム）にも適用可能である。
【００１４】
ストロボ装置３は、撮影の際において被写体の明るさが足りない場合に発光させる照明装置である。ストロボ装置３の発光窓部は、非使用時には図１（ａ）に示されるように撮像装置１の内部に収納されているが、使用時には撮像装置１から飛び出すように構成されている。ストロボボタン４は、押下されることで前述のストロボ装置３の発光窓部を撮像装置１から飛び出させ、ストロボ装置３を使用可能にすることができる。
【００１５】
レリーズボタン５は、２段階の押圧操作が可能である。レリーズボタン５に１段階の半押し操作を行うと、撮像装置１は撮影準備動作（測光動作や測距動作等）を開始する。また、レリーズボタン５に２段目の全押し操作を行うと、撮像装置１は被写体を撮影し、内蔵された記録媒体に被写体像の画像データを記録する。
【００１６】
回転操作型のズームレバー６は、レリーズボタン５の外周に回転可能に保持されている。ズームレバー６を一方に回転させると、ズームレンズが望遠側（画角が狭くなる方向）にズーム動作を行う。一方、ズームレバー６を他方に回転させると、撮影レンズが広角側（画角が広がる方向）に移動するようにズーム動作を行う。電源ボタン７がユーザにより押下されると、撮像装置１が使用不可状態であるオフ状態から使用可能状態であるオン状態へ、または、使用可能状態であるオン状態から使用不可状態であるオフ状態へ、状態を切り替えることができる。
【００１７】
マイク穴８は、内蔵マイクに音声を取り込む穴であり、マイク穴８の内部には不図示のマイクユニットが設けられている。マイク穴８は収音性を考慮し、撮像装置１の上方に設けられ、ステレオ録音を行うために２つ設けられている。
【００１８】
モード設定ダイヤル９は、撮像装置１に対して回転可能に支持されている。モード設定ダイヤル９の天面には、各種の撮影モードに応じた複数のアイコン（不図示）が印刷されており、これらのアイコンを撮像装置１に設けられた指標（不図示）に合わせることにより、アイコンに応じた各種モ−ド等の設定を行うことができる。
【００１９】
電子ビューファインダ１０は、撮像装置１に収納可能であり、撮像装置１の側面に設けられた操作レバー１１を下方へスライド操作することで接眼窓１３１が露出するように構成されている。電子ビューファインダ１０は、その内部に有機ＥＬパネル１２１やレンズ１２２を備えている。電子ビューファインダ１０は、接眼窓１３１を介してユーザが覗くことにより、撮影する被写体像や撮影された画像を確認することができる。ＣＰＵ６０は、撮像装置１の各部を制御する制御手段である。また撮像装置１には、電源となる不図示の電池および撮影された被写体像を記録する記録媒体が内蔵されている。
【００２０】
図１（ｂ）は、本実施例における撮像装置１の背面斜視図である。撮像装置１の側面には、電源や信号の入出力用ジャック（不図示）が設けられており、入出力用ジャックはジャック保護用のジャックカバー１２で覆われている。ジャックカバー１２が開けられると、入出力用ジャックが露出し、各種ケーブル類の抜き差しが可能となる。
【００２１】
操作部１３は、単独のボタンや十字ボタン等の複数の操作ボタンを含む。操作部１３は、それぞれに機能が割り当てられており、撮影条件の変更や再生画面の切り替え等、各種の指示を入力する際に利用される。
【００２２】
表示装置（表示部）２０は、撮像装置１の背面に設けられている。表示装置２０は、液晶ディスプレイ（表示手段）２１を有する。液晶ディスプレイ２１は、撮影する被写体像の確認や撮影された画像の再生表示に用いられる。表示装置２０は、後述のヒンジ装置３０を介して撮像装置１に取り付けられており、上下方向への回転（回転動作）が可能である。なお、この詳細については後述する。
【００２３】
近接センサ窓部（接眼窓部）１４は、表示装置２０の上枠部に設けられている。近接センサ窓部１４は、可視光線領域の透過率が低いにもかかわらず、波長８００ｎｍ以上の赤外線領域での透過率が高い特徴を有する樹脂で形成されている。近接センサ窓部１４の内部には、発光部と受光部とを備えた後述の近接センサ（第２の検知手段）１４ａが設けられている。近接センサ１４ａは、発光部から赤外光を投射し、所定のしきい値を超えた受光部への反射光の有無に応じて物体の近接の有無を検知する。近接センサ１４ａは、ユーザが後述の接眼窓１３１を覗いているか否かを判定するために用いられる。
【００２４】
次に、図２を参照して、表示装置２０の構成について説明する。図２は、表示装置２０の分解斜視図である。図２（ａ）は正面斜視図、図２（ｂ）は背面斜視図をそれぞれ示す。図２に示されるように、表示装置２０は、主に、液晶ディスプレイ２１、ディスプレイカバー２２、ロの字型の両面テープ２３、および、スペーサ２４を備えて構成されている。
【００２５】
液晶ディスプレイ２１は、液晶ディスプレイ２１を外圧、傷、汚れ等から保護する保護窓と、ユーザが触れることで入力操作が行われる静電容量方式等のタッチパネルとが一体的に構成され、映像や情報を表示する表示手段である。液晶ディスプレイ２１は、保護窓の外形に沿って形成されたロの字型の両面テープ２３によって、ディスプレイカバー２２の前面側に接着される。ロの字型の両面テープ２３の接着強度は高く、衝撃に強い方が望ましい。これは、落下等の衝撃による液晶ディスプレイ２１の浮き上がり、剥がれ、更には液晶ディスプレイ２１がディスプレイカバー２２の外に飛び出すことによる割れを防止するためである。
【００２６】
ディスプレイカバー２２は、液晶ディスプレイ２１の周囲を覆う枠体であり、液晶ディスプレイ２１の支持をする外観部品である。ディスプレイカバー２２の表面には塗装が施され、外観面を形成している。ディスプレイカバー２２には近接センサ窓部１４が組み込まれ、ディスプレイカバー２２の表示装置２０の上枠部に相当する位置に接着固定されている。
【００２７】
フレキシブル配線基板４１は、表示装置２０の表示制御を司る。フレキシブル配線基板４１は、液晶ディスプレイ２１の背面に配置され、不図示の両面テープによって液晶ディスプレイ２１に貼付固定される。フレキシブル配線基板４１上に実装されたコネクタ４３には、液晶ディスプレイ２１に設けられたフレキシブル配線基板２１ａが接続される。前述の近接センサ１４ａは、フレキシブル配線基板４１上に実装され、近接センサ窓部１４と対向するように位置決め固定される。
【００２８】
フレキシブル配線基板４２は、撮像装置１の本体との接続に用いられる。フレキシブル配線基板４２は、その一端がフレキシブル配線基板４１上に実装されたコネクタ４４によりフレキシブル配線基板４１と接続される。また、フレキシブル配線基板４２の他端は、撮像装置１の内部に設けられた不図示の主基板に接続されることにより、主基板からの電気信号が表示装置２０に伝達される。表示装置２０から配線される一部の電気信号は、差動伝送方式のための差動信号である。フレキシブル配線基板４２に形成される信号パターンのうち、差動信号パターンがフレキシブル配線基板４２の略中央付近に形成されており、差動信号パターンは所定の差動インピーダンス仕様を満たすようにインピーダンスのマッチングを行って形成されている。
【００２９】
スペーサ２４は、モールド樹脂部材により形成され、ディスプレイカバー２２とヒンジ装置３０との隙間を塞いている。スペーサ２４は、ディスプレイカバー２２に対して液晶ディスプレイ２１の組み付け方向と逆方向から組み付けられ、ディスプレイカバー２２とヒンジ装置３０とで挟まれた状態で固定される。
【００３０】
磁石２５は、ディスプレイカバー２２に形成された凹部に収納され、接着固定されている。磁石２５は磁場発生手段として用いられ、後述の磁気センサによって磁束が検出され、表示装置２０の表示方向の切り替えスイッチとして機能する。
【００３１】
磁気センサは、一般的に磁気を検出する素子として、巨大磁気抵抗（Ｇｉａｎｔ  Ｍａｇｎｅｔ  Ｒｅｓｉｓｔａｎｃｅ：ＧＭＲ）素子や半導体ホール素子が用いられる。ＧＭＲ素子は、磁気抵抗効果を利用して主面に平行な磁場を検出するデバイスであり、磁場が強いほど電気抵抗が増加する性質を有する合金（具体的には、ニッケル、鉄、コバルトを主成分とする）からなる。このようなＧＭＲ素子を判定回路に組み込むことによりＧＭＲセンサが形成される。本実施例では、撮像装置１の本体に設けられた不図示のフレキシブル配線基板にＧＭＲセンサが実装されており、このＧＭＲセンサに所定のしきい値を設定して、磁石２５の位置に応じて変化する磁束をＧＭＲセンサにて検出し、表示装置２０の表示を切り替える。具体的には、表示装置２０を図１（ｂ）に示される基本姿勢の状態から上方へ所定の角度以上回転動作（チルト動作）させると、前述のＧＭＲセンサに対し、磁石２５による磁束が所定のしきい値を超える。その結果、表示装置２０の表示画面が通常状態から上下左右反転した画像に切り替えられる。
【００３２】
次に、図３を参照して、ヒンジ装置３０の構成について説明する。図３は、ヒンジ装置３０の分解斜視図である。図３（ａ）はヒンジ装置３０の分解斜視図、図３（ｂ）、（ｃ）はヒンジ装置３０に設けられた回転軸Ａの両端部の拡大図をそれぞれ示す。図３において、撮像装置１に対して、ヒンジ装置３０の上方に配置される回転軸を回転軸Ａ、ヒンジ装置３０の下方に配置される回転軸を回転軸Ｂと定義する。
【００３３】
スタンドプレート３１、３２は、ヒンジ装置３０の左右に設けられている。スタンドプレート３１、３２には立曲げ部３１ｃ、３２ｃがそれぞれ設けられており、立曲げ部３１ｃ、３２ｃには孔３１ｂ、３２ｂがそれぞれ設けられている。ベースプレート３３には、スタンドプレート３１、３２と同様に、左右それぞれに立曲げ部３３ｃが設けられている。立曲げ部３３ｃには、上側に孔３３ａが、下側に孔３３ｂがそれぞれ設けられている。下側の孔３３ｂは、スタンドプレート３１、３２に設けられた孔３１ｂ、３２ｂと同軸上に形成され、回転軸Ｂを形成している。ベースプレート３３の下部には、ストッパ３３ｄが左右それぞれに設けられており、表示装置２０を下方へ４５°回転動作させた際に、スタンドプレート３１、３２の立曲げ部３１ｃ、３２ｃに当接し、それ以上回転できないよう規制している。
【００３４】
アームプレート３４には、スタンドプレート３１、３２、および、ベースプレート３３と同様に、左右それぞれに立曲げ部３４ｃが設けられている。立曲げ部３４ｃの上側には、孔３４ａが設けられている。孔３４ａは、ベースプレート３３に設けられた上側の孔３３ａと同軸上に形成され、回転軸Ａを形成している。アームプレート３４の上部には、左右それぞれストッパ３４ｄが設けられ、表示装置２０を上方へ１８０°回転動作した際に、ベースプレート３３の立曲げ部３３ｃに当接し、それ以上回転できないように規制している。
【００３５】
加締めピン３５Ａ１、３５Ａ２は、ベースプレート３３の上側の孔３３ａ、アームプレート３４の孔３４ａ、皿バネ３６Ａの孔３６ａに挿通した状態で加締められる。この加締めにより、ベースプレート３３とアームプレート３４とが同軸上に回転可能に結合されると共に、加締めピン３５Ａ１、３５Ａ２の回転軸Ａからの脱落を防止することができる。加締める際、皿バネ３６Ａを回転軸方向に撓ませた状態で固定することで、回転軸Ａに回転トルクが付与される。
【００３６】
加締めピン３５Ｂ１、３５Ｂ２はスタンドプレート３１、３２の孔３１ｂ、３２ｂ、ベースプレート３３の下側の孔３３ｂ、皿バネ３６Ｂ１、３６Ｂ２の孔３６ｂ１、３６ｂ２に挿通した状態で、回転軸Ａと同様に加締められる。この加締めにより、スタンドプレート３１、３２とベースプレート３３とが同軸上に回転可能に結合されると共に、加締めピン３５Ｂ１、３５Ｂ２の回転軸Ｂからの脱落を防止することができる。加締める際、皿バネ３６Ｂ１、３６Ｂ２を回転軸方向に撓ませた状態で固定することで回転軸Ｂに回転トルクが付与される。配置の都合上回転軸Ａには片側のみに皿バネ３６Ａが設けられているが、配置に問題がなければ、回転軸Ｂ同様に両側に設けてもよい。皿バネ３６Ａ、３６Ｂ１、３６Ｂ２により回転軸Ａ、Ｂに回転負荷となる摺動トルクが付与されるため、ベースプレート３３は、スタンドプレート３１、３２に対して、アームプレート３４は、ベースプレート３３に対し任意の回転位置での保持が可能である。た、スタンドプレート３１、３２、ベースプレート３３、および、アームプレート３４はそれぞれ、金属材料をプレス加工にて形成された部品であり、回転動作に対して高強度に構成されている。
【００３７】
次に、図４を参照して、撮像装置１の本体（撮像装置本体１ｂ）、表示装置２０、および、ヒンジ装置３０の関係について説明する。図４は、撮像装置１の分解斜視図である。図４に示されるように、ヒンジ装置３０は、スタンドプレート３１、３２が撮像装置本体１ｂの背面側へビス２６ａ、２６ｂにて固定される。またヒンジ装置３０は、アームプレート３４がディスプレイカバー２２の背面側へビス２７ａ、２７ｂにて固定され、底面側へビス２８ａ、２８ｂ、２８ｃにて固定される。このような構成により、ヒンジ装置３０は、表示装置２０と撮像装置本体１ｂとを連結し、表示装置２０を撮像装置本体１ｂに対して上方へ略１８０°まで回転動作させることや、下方へ略４５°まで回転動作させることが可能となる。
【００３８】
次に、図５を参照して、表示装置（表示部）２０の動作について説明する。図５は、撮像装置１の背面斜視図である。図５（ａ）は、表示装置２０が基本姿勢の状態（基準位置にある状態）を示し、収納の際、ユーザの正面の被写体を撮影する際、または、撮影された画像の再生表示の際に用いられる。図５（ｂ）は、表示装置２０を上方へ１８０°回転動作（チルト動作）させた状態（基準位置から１８０°の角度だけ回転させた位置にある状態）を示し、主に自分撮り撮影の際に用いられる。表示装置２０は、図５（ａ）の状態と図５（ｂ）の状態の間の任意の角度への調整も可能であり、その場合には主に撮像装置１を低く構えて被写体を撮影する際に用いられる。図５（ｃ）は、表示装置２０を下方へ４５°回転動作させた状態であり、主に撮像装置１を高く構えて撮影する際に用いられる。このように表示装置２０は、ヒンジ装置３０によって様々な形態に回転可能（チルト可能）に構成され、様々な撮影方法に適応させることが可能である。
【００３９】
次に、図６を参照して、電子ビューファインダ１０の構成について説明する。図６は、電子ビューファインダ１０の分解斜視図である。電子ビューファインダ１０は、主に、ベースユニット１００、表示ユニット１１０、カバーユニット１４０、配線基板１５０、および、フレキシブル配線基板１５１を備えて構成されている。表示ユニット１１０は、本体部１２０および接眼部１３０を有する。本体部１２０は、映像や情報を表示する表示手段である有機ＥＬパネル１２１、レンズ１２２、および、接眼部１３０の引き出しを検知する検知スイッチ（第１の検知手段）１２３等を有する。接眼部１３０は、接眼窓１３１、接眼窓枠部１３２、および、視度の調整に用いられる視度調整レバー１３３等を有する。
【００４０】
表示ユニット１１０は、ベースユニット１００に対して位置決めされ、３本のビス１１１、１１２、１１３によって固定される。カバーユニット１４０は、表示ユニット１１０の周囲を覆い、図１に示されるように電子ビューファインダ１０を撮像装置１の本体に収納した状態（収納位置）で撮像装置１の天面の一部を構成する。カバーユニット１４０は、天面カバー１４１と側面カバー１４２とを備えて構成され、接着によって一体化され、カバーユニット１４０を形成している。カバーユニット１４０は、ベースユニット１００に対して位置決めされ、ビス１４３、１４４、および、表示ユニット１１０との共締めビスであるビス１１３の３本によって固定される。配線基板１５０は、電子ビューファインダ１０の表示制御を司り、表示ユニット１１０に対して位置決めされ、ビス１５３によって固定される。フレキシブル配線基板１５１は、撮像装置１の内部に設けられた不図示の主基板との接続に用いられ、コネクタ１５２によって配線基板１５０に接続される。
【００４１】
次に、図７を参照して、ベースユニット１００の構成について説明する。図７は、電子ビューファインダ１０を構成するベースユニット１００の分解斜視図およびベース１０１の断面図である。図７（ａ）はベースユニット１００の分解斜視図、図７（ｂ）は図７（ａ）中のＡ―Ａ断面図をそれぞれ示す。ベースユニット１００は、主に、ベース１０１、シャーシ１０２、シャフト１０３、シャフトバネ１０４、シャフトクッション１０５、ベースプレート１０６、ロックレバー１０７、ロックレバーシャフト１０８、および、ロックバネ１０９から構成されている。
【００４２】
図７（ｂ）に示されるように、ベース１０１にはシャフト１０２が挿通される２つの孔１０１ａが設けられ、２つの孔１０１ａの途中には段差部１０１ｂが設けられている。
【００４３】
シャーシ１０２には、ロックピン１０２ａが固定されている。またシャーシ１０２には腕部１０２ｂが設けられ、腕部１０２ｂの先端には係合部１０２ｃが形成されている。シャーシ１０２には、ビス１１１、１１２、１１３、１４３、１４４が締結されるビス締め部が設けられ、前述の表示ユニット１１０およびカバーユニット１４０はシャーシ１０２に固定される。
【００４４】
シャフト１０３には凸部１０３ａが設けられ、ベース１０１に設けられた段差部１０１ｂに引っ掛かるように構成されている。凸部１０３ａにはシャフトクッション１０５が貼られ、電子ビューファインダ１０を上方へせり上がらせる際の衝撃を緩和させている。シャフト１０３をベース１０１の孔１０１ａに挿通した後からシャーシ１０２に対しシャフト１０３が加締められる。これによりシャフト１０３は、シャーシ１０２とベース１０１の凸部１０３ａとで両端が抜け止めされ、ベース１０１の孔１０１ａからの脱落がないように構成されている。ベース１０１の２つの孔１０１ａにはそれぞれシャフトバネ１０４が挿入されている。ベース１０１の二つの孔１０１ａを覆うようにベースプレート１０６が組み付けられると、シャフトバネ１０４は、一方の端がシャフト１０３に設けられた凸部１０３ａに当接し、他方の端がベースプレート１０６に当接し、シャフト１０３を上方に付勢させている。すなわち、シャフトバネ１０４によって表示ユニット１１０およびカバーユニット１４０は上方に付勢されていることとなる。ベースプレート１０６は、引っ掛け爪およびビスによってベース１０１に固定されている。
【００４５】
ベースプレート１０６の側面上方には、ロックレバーシャフト１０８を回転軸として、ロックレバー１０７がベースプレート１０６に対して回転可能に取り付けられている。ロックレバーシャフト１０８は、ベースプレート１０６に固定されている。ベースプレート１０６に設けられた引っ掛け部１０６ａとロックレバー１０７に設けられた引っ掛け部１０７ａとにロックバネ１０９が引っ掛けられている。ロックバネ１０９の付勢力によって、ロックレバー１０７がロックレバーシャフト１０８を回転軸として、ベースプレート１０６に対して反時計回りに付勢されている。
【００４６】
ロックレバー１０７には当接部１０７ｂが設けられており、図１（ｂ）に示される操作レバー１１の操作によって、操作レバー１１が当接部１０７ｂに当接し、ロックバネ１０９の付勢力に抗しロックレバー１０７が時計回りに回転するように構成されている。なお、この詳細については後述する。また、電子ビューファインダ１０が収納状態の位置にある場合、シャーシ１０２に設けられたロックピン１０２ａと係合する係合部１０７ｃが形成されている。また、ロックレバー１０７にもロックピン１０７ｄが形成されており、電子ビューファインダ１０が上方へせり上がっている状態でシャーシ１０２に形成された係合部１０２ｃと係合するように構成されている。なお、この詳細については後述する。このように本実施例の電子ビューファインダ１０は、ベースユニット１００、表示ユニット１１０、カバーユニット１４０、配線基板１５０、および、フレキシブル配線基板１５１から構成されている。
【００４７】
次に、図８を参照して、電子ビューファインダ１０の動作について説明する。図８は、電子ビューファインダ１０の側面図である。図８（ａ）は、電子ビューファインダ１０が撮像装置１（撮像装置本体１ｂ）に収納された状態を示す。図８（ｂ）は、電子ビューファインダ１０が撮像装置１に収納された状態でロックレバー１０７が時計回りに回転した状態を示す。図８（ｃ）は、電子ビューファインダ１０が収納状態から上方へせり上がらせた状態（接眼部１３０の収納位置）を示す。図８（ｄ）は、電子ビューファインダ１０が上方へせり上がらせた状態から接眼部１３０が引き出され、電子ビューファインダ１０が使用可能な状態（接眼部１３０の使用位置）を示す。なお図８では、ベースプレート１０６およびカバーユニット１４０の一部である側面カバー１４２を省略している。
【００４８】
前述のとおり、電子ビューファインダ１０の表示ユニット（本体部）１１０とカバーユニット１４０は、シャフトバネ１０４によって上方に常に付勢されている。但し、図８（ａ）に示される電子ビューファインダ１０が撮像装置１に収納された状態では、シャーシ１０２に設けられたロックピン１０２ａがロックレバー１０７に形成された係合部１０７ｃに係合するように構成されている。このため、電子ビューファインダ１０の表示ユニット１１０とカバーユニット１４０が上方へせり上がることが抑えられる。この状態にて図１（ｂ）に示される操作レバー１１を下方へスライド操作すると、操作レバー１１がロックレバー１０７に設けられた当接部１０７ｂに当接し、ロックレバー１０７がロックレバーシャフト１０８を回転軸として時計回りに回転する。ロックレバー１０７が時計回りに回転することで、係合部１０７ｃのシャーシ１０２に設けられたロックピン１０２ａとの係合が解除される。この係合が解除されると、シャフトバネ１０４の付勢によってシャーシ１０２、シャフト１０３と共に、表示ユニット１１０とカバーユニット１４０は接眼部１３０が外部へ露出した位置まで上方へせり上がり、図８（ｃ）に示される状態となる。
【００４９】
この状態では、ロックレバー１０７に設けられたロックピン１０７ｄがシャーシ１０２に形成された係合部１０２ｃに係合し、電子ビューファインダ１０を上方にせり上がった位置で係止している。但し、ロックバネ１０９によるロックレバー１０７に対する付勢力を超えた荷重で電子ビューファインダ１０を押下すると、シャーシ１０２に形成された係合部１０２ｃの斜面をロックレバー１０７に設けられたロックピン１０７ｄが滑り出す。これにより、ロックレバー１０７が時計回りに回転する。このような構成により、ロックレバー１０７に設けられたロックピン１０７ｄがシャーシ１０２に形成された係合部１０２ｃから外れ、電子ビューファインダ１０を撮像装置１内へ収納させることが可能である。すなわち、収納させる際には操作レバー１１をスライド操作することなく電子ビューファインダ１０への押下操作のみで電子ビューファインダ１０を撮像装置１内へ収納させることが可能である。
【００５０】
接眼部１３０の両端には把持部１３４が設けられ、ユーザによって引き出すことが可能に構成されている。ユーザによって係止位置まで引き出されると、図８（ｄ）に示される電子ビューファインダ１０が使用可能な状態となる。接眼部１３０が引き出され電子ビューファインダ１０が使用可能な状態では、接眼部１３０に形成された当接部１３５が検知スイッチ１２３に設けられたスイッチノブ１２３ａから退避し、検知スイッチ１２３がオフの状態となる。なお、図８（ａ）、（ｂ）、（ｃ）に示されるように、接眼部１３０が引き出されていない状態では、接眼部１３０に形成された当接部１３５によってスイッチノブ１２３ａが押され、検知スイッチ１２３がオンの状態となっている。
【００５１】
ＣＰＵ（制御手段）６０は、近接センサ１４ａによるユーザの顔等の物体の近接を検知していない間は表示装置２０への表示を行い、電子ビューファインダ１０への表示は行わないように制御を行う。一方、物体の近接を検知すると表示装置２０への表示を行わず、電子ビューファインダ１０への表示を行うように制御を行う。この制御は、検知スイッチ１２３の状態に応じて、有効と無効が切り替わるように構成されている。電子ビューファインダ１０の接眼部１３０を引き出していない場合、検知スイッチ１２３はオン状態であり、オン状態では前述の制御を行わないようにする。一方、接眼部１３０を引き出している場合、検知スイッチ１２３はオフ状態であり、オフ状態では前述の制御を行うようにする。これは、電子ビューファインダ１０は接眼部１３０が引き出された状態でのみ有機ＥＬパネル１２１へレンズ１２２の焦点が合うように設計されているためである。このため、接眼部１３０が引き出されていない、すなわち図８（ｃ）に示されるように単に表示ユニット１１０とカバーユニット１４０が上方へせり上がった状態では、電子ビューファインダ１０の表示が行われないことが望ましい。このように、接眼部１３０が引き出され、電子ビューファインダ１０が使用可能な状態でのみ表示させることが可能となり、電子ビューファインダ１０の収納時など非使用時に、表示装置２０への表示が不用意に消えてしまうことを防止することができる。
【００５２】
図１（ｂ）および図５（ａ）に示されるように、近接センサ窓部１４は、表示装置２０の上枠部に設けられており、表示装置２０の回転動作（チルト動作）に連動して近接センサ窓部１４の向きが変化する。前述のように、電子ビューファインダ１０の接眼部１３０が引き出されていない状態では、近接センサ１４ａによる制御が行われず、表示装置２０が回転動作しても近接センサ１４ａへの影響はない。但し、電子ビューファインダ１０の接眼部１３０が引き出されている場合に表示装置２０が回転動作すると、近接センサ窓部１４の向きが変わり、近接センサ１４ａによる物体の近接を検知可能な範囲（物体の検知範囲）が変わる。
【００５３】
次に、図９を参照して、表示装置２０の回転動作による近接センサ１４ａによる物体の検知範囲１４ｂの変化について説明する。図９は、撮像装置１の側面図である。図９（ａ）は、表示装置２０を上方に４５°回転動作させた状態を示す。図９（ｂ）は、表示装置２０を下方に４５°回転動作させた状態を示す。図９（ｃ）は、表示装置２０を上方に９０°回転動作させた状態を示す。図９（ｄ）は、表示装置２０を上方に１５０°回転動作させた状態を示す。近接センサ１４ａによる物体の検知範囲１４ｂの変化を説明する図９は、本来であれば電子ビューファインダ１０の接眼部１３０が引き出された使用状態を示すべきである。しかし、表示装置２０の姿勢と近接センサ１４ａによる物体の検知範囲１４ｂの変化をわかり易く説明するため、図９は電子ビューファインダ１０が撮像装置１の内部に収納された状態を示している。
【００５４】
図９（ａ）、（ｂ）に示されるように、表示装置２０を上方または下方へ４５°回転させた状態において、撮像装置１の背面側が近接センサ１４ａによる物体の検知範囲１４ｂに収まる。このため、ユーザが撮像装置１の背面に顔を近接させた際に、電子ビューファインダ１０の表示をオンにする制御を行うことが可能である。一方、図９（ｃ）、（ｄ）に示されるように、表示装置２０を上方へ９０°または１５０°回転させた状態において、撮像装置１の背面が近接センサ１４ａによる物体の検知範囲１４ｂから外れる。このため、ユーザが撮像装置１の背面に顔を近接させても電子ビューファインダ１０の表示がオンにならない可能性がある。但し、例えば図９（ｃ）に示されるように表示装置２０を上方へ９０°回転させた状態では、主に撮像装置１を低く構えて被写体を撮影する際に用いられるため、接眼部１３０を覗いて撮影する可能性が低く問題はない。また、図９（ｄ）に示されるように表示装置２０を上方へ１５０°回転させた状態では、そもそも表示装置２０によって接眼部１３０が覆われてしまうため物理的に覗くことができず、問題はない。但し、図９（ｄ）に示される状態では、撮像装置１の本体が近接センサ１４ａによる物体の検知範囲１４ｂ内に侵入してしまうため、近接センサ１４ａが誤検知し、表示装置２０への表示がオフに、電子ビューファインダ１０の表示がオンとなってしまう可能性がある。
【００５５】
次に、図１０を参照して、近接センサ１４ａの誤検知を防止する方法について説明する。図１０は、撮像装置１の側面図である。図１０において、電子ビューファインダ１０は、接眼部１３０が引き出された使用状態（電子ビューファインダ１０（接眼部１３０）が使用位置にある状態）を示す。
【００５６】
図１０に示される状態、すなわち接眼部１３０が引き出された状態で表示装置２０を上方に約９０°回転させると、図９（ｃ）に示されるように、撮像装置１の本体は近接センサ１４ａによる物体の検知範囲１４ｂ内に侵入していない。このため、近接センサ１４ａの誤検知は発生しない。但し、この状態から表示装置２０をさらに上方に回転させると、図９（ｄ）に示されるように、撮像装置１の本体が近接センサ１４ａによる物体の検知範囲１４ｂ内に侵入し、近接センサ１４ａが誤検知してしまう。これを防止するため、本実施例では、表示装置２０を上方に約９０°回転させた状態（所定の角度だけ回転させた状態）において、図１０に示されるように表示装置２０を構成するディスプレイカバー２２が電子ビューファインダ１０の接眼部１３０へ当接する。このような構成により、表示装置２０をさらに上方へ回転動作させようとしても、制限部としての接眼部１３０に阻まれてしまい、表示装置２０を更に上方へ回転させることができない。
【００５７】
このように、電子ビューファインダ１０の接眼部１３０が引き出された状態において、表示装置２０を約９０°超えた上方への回転動作が制限される。このため、撮像装置１の本体が近接センサ１４ａによる物体の検知範囲１４ｂ内に侵入することがなくなり、近接センサ１４ａの誤検知が発生しない。接眼部１３０が引き出された状態では、表示装置２０を撮像装置１の本体に対して上方へ１８０°まで回転動作させることができない。但し、引き出されている接眼部１３０を押し込めば表示装置２０を１８０°まで回転動作させることができるため、実使用上の問題はない。
【００５８】
一方、以上のような誤検知防止手段が講じられない場合、電子ビューファインダ１０の接眼部１３０を引き出したまま、例えば自分撮り撮影を行う際に表示装置２０を上方へ１８０°に近い角度まで回転動作させた際に表示装置２０への表示が停止してしまう。このため、画像を確認しながら撮影することができない。
【００５９】
ここまで、表示手段として表示装置２０には液晶ディスプレイ２１を、電子ビューファインダ１０には有機ＥＬパネル１２１を例として挙げてきたが、本発明はこれに限定されるものではなく、映像や情報を表示することが可能であれば他の表示手段であってもよい。
【００６０】
また、ヒンジ装置３０は、回転軸Ａ、Ｂの２軸を上下に有し、表示装置２０が撮像装置１の本体に対して上方へ１８０°、下方へ４５°回転動作させることができるものとして説明しているが、ヒンジ装置３０は上の回転軸Ａのみを有していてもよい。この場合、表示装置２０は上方への回転動作のみ可能で下方へは回転動作できない。しかし、表示装置２０を上方へ１８０°近くまで回転動作させた際に近接センサ１４ａが誤検知するという同様の課題が存在し、本実施例の適用が可能である。
【００６１】
また本実施例は、近接センサ１４ａおよび近接センサ窓部１４が表示装置２０の上枠部に設けられているものとして説明しているが、本発明はこれに限定されるものではない。表示装置２０内の配置可能な位置であれば、特に位置は上方に限定せず側方や下方でも良く、顔の近接が検知できる範囲内であれば問題はない。但し、近接センサ窓部１４を表示装置２０の上枠部に設ける際に、電子ビューファインダ１０の接眼部１３０の直下には配置しないことが望ましい。仮に接眼部１３０の直下に配置すると、図１０に示される接眼部１３０が引き出された状態で表示装置２０を上方に約９０°回転動作させた状態で、近接センサ１４ａによる物体の検知範囲内に接眼部１３０が侵入し、表示装置２０の表示が消えてしまう。
【００６２】
また、近接センサ１４ａおよび近接センサ１４は、表示装置２０ではなく撮像装置１の本体背面や、電子ビューファインダ１０の接眼部１３０に備わっていてもよい。この場合、表示装置２０が図１（ｂ）に示される基本姿勢（基準位置）の場合に表示装置２０で覆われない位置であれば配置は限定されない。撮像装置１の本体側や、電子ビューファインダ１０の接眼部１３０に近接センサ１４ａおよび近接センサ窓部１４を配置した際にも、表示装置２０を上方へ１８０°近くまで回転動作させた際に近接センサ１４ａが誤検知するという同様の課題が存在する。このため、このような配置でも、近接センサ１４ａの誤検知を防止する本実施例を適用可能である。
【実施例２】
【００６３】
次に、本発明の実施例２における撮像装置１ａについて説明する。実施例１では、近接センサ１４ａの誤検知を防止するため、表示装置２０が所定の角度（例えば９０°だけ回転すると）、表示装置２０のディスプレイカバー２２が電子ビューファインダ１０の接眼部（制限部）１３０、すなわち外観部に当接する。一方、本実施例では、外観から見え難い場所での当接により外観部を保護しながら近接センサ１４ａの誤検知を防止する方法について説明する。なお本実施例において、撮像装置１ａの本体、電子ビューファインダ１０、表示装置２０、および、ヒンジ装置３０の基本構成は、実施例１と同様であるため、それらの説明を省略し、実施例１と異なる構成についてのみ説明する。
【００６４】
図１１を参照して、表示装置２０と電子ビューファインダ１０とが外観から見え難い場所での当接によって近接センサ１４ａの誤検知を防止する方法について説明する。図１１は、本実施例における撮像装置１ａの要部の横断面図である。図１１（ａ）は、電子ビューファインダ１０の接眼部１３０が引き出され、電子ビューファインダ１０が使用可能な状態（電子ビューファインダ１０が使用位置にある状態）を示す。図１１（ｂ）は、電子ビューファインダ１０が使用可能な状態（電子ビューファインダ１０が使用位置にある状態）において、表示装置２０を上方へ９０°回転させた状態（表示装置２０を基準位置から所定の角度だけ回転させた状態）を示す。
【００６５】
図１１（ａ）、（ｂ）に示されるように、接眼部１３０の下部に規制部（制限部、突出部）１３６が形成されている。規制部１３６は、接眼部１３０に直接形成されており、接眼部１３０の引き出し動作に連動して進退する。図１１（ａ）、（ｂ）に示されるように接眼部１３０が引き出されている状態において、規制部１３６の少なくとも一部は、撮像装置１ａの本体から突出している。
【００６６】
図１１（ａ）に示される表示装置２０が基本姿勢の状態（基準位置）から表示装置２０を上方へ回転動作を開始すると、表示装置２０を構成するディスプレイカバー２２も回転を開始する。ディスプレイカバー２２には当接部２２ｂが設けられており、表示装置２０が回転を続けて図１１（ｂ）に示されるように上方へ９０°まで回転すると、当接部２２ｂが接眼部１３０に形成された規制部１３６に当接する。表示装置２０を更に回転させようとすると、表示装置２０はディスプレイカバー２２に設けられた当接部２２ｂと接眼部１３０に形成された規制部１３６との当接により、更なる上方へ回転することができない。
【００６７】
このように、電子ビューファインダ１０の接眼部１３０が引き出された状態において、表示装置２０の角度が約９０°を超えた上方への回転動作が制限される。このため、撮像装置１ａの本体が近接センサ１４ａによる物体の検知範囲１４ｂ内に侵入することがなくなり、近接センサ１４ａの誤検知が発生しない。また、ディスプレイカバー２２に設けられた当接部２２ｂと接眼部１３０に形成された規制部１３６との当接は、互いに外観から見え難い場所での当接であるため、外観部を保護しながら回転動作の制限を行うことができる。なお本実施例において、規制部１３６は接眼部１３０に直接形成されているが、本発明はこれに限定されるものではなく、規制部１３６が接眼部１３０とは別体に設けられていてもよい。その際、接眼部１３０が引き出される際に、規制部１３６が接眼部１３０に連動して撮像装置１ａから突出すればよい。
【００６８】
このように各実施例において、撮像装置は、回転可能な表示部（表示装置２０）、収納位置と使用位置との間で移動可能な接眼部１３０、および、接眼部が使用位置にある状態で表示部の回転を制限する制限部（接眼部１３０、規制部１３６）を有する。
【００６９】
好ましくは、制限部は、接眼部であり、接眼部が使用位置にある状態で表示部を基準位置（基本姿勢の状態）から所定の角度だけ回転させると、表示部が接眼部に当接して表示部の回転が制限される。また好ましくは、制限部は、接眼部の移動に連動して移動する突出部であり、接眼部が使用位置にある状態で表示部を基準位置から所定の角度だけ回転させると、表示部が制限部に当接して表示部の回転が制限される。より好ましくは、所定の角度は、９０°である。
【００７０】
好ましくは、撮像装置は、接眼部が使用位置に移動したことを検知する第１の検知手段（検知スイッチ１２３）、および、物体の近接を検知する第２の検知手段（近接センサ１４ａ）を有する。また撮像装置は、物体が第２の検知手段へ近接した際に所定の制御を行う制御手段（ＣＰＵ６０）を有する。制御手段は、第１の検知手段が接眼部の使用位置への移動を検知した場合、所定の制御を行う。一方、制御手段は、第１の検知手段が接眼部の使用位置への移動を検知していない場合、所定の制御を行わない。より好ましくは、所定の制御は、第２の検知手段が物体の近接を検知した場合、表示部に表示を行わず、接眼部に表示を行う制御である。また所定の制御は、第２の検知手段が物体の近接を検知していない場合、接眼部に表示を行わず、表示部の表示を行う制御である。より好ましくは、制限部が表示部の回転を制限している状態において、撮像装置の本体は、第２の検知手段による物体の検知範囲の外側に位置している（撮像装置本体は、物体の検知範囲１４ｂの内部に存在しない）。
【００７１】
好ましくは、第２の検知手段は、表示部の上方に配置されている。より好ましくは、第２の検知手段は、接眼部の下部から退避した位置に配置されている。また好ましくは、第２の検知手段は、撮像装置の本体の背面側上方に配置されている。また好ましくは、第２の検知手段は、接眼部に配置されている。
【００７２】
好ましくは、接眼部は、収納位置から撮像装置の本体内部の位置（接眼部が撮像装置の本体に収納された状態）に移動可能である。好ましくは、表示部は撮像装置の背面に設けられた液晶ディスプレイであり、接眼部は電子ビューファインダを構成する。
【００７３】
各実施例によれば、表示部の回転によるセンサの誤検知を低減することが可能な撮像装置を提供することができる。
【００７４】
以上、本発明の好ましい実施例について説明したが、本発明はこれらの実施例に限定されず、その要旨の範囲内で種々の変形及び変更が可能である。
【００７５】
例えば、各実施例において、表示装置２０は基準位置から最大で１８０°回転可能に構成されているが、これに限定されるものではない。表示装置２０は、制限位置としての所定の角度よりも大きい角度まで回転可能であれば、その最大角度は１８０°よりも小さい角度または１８０°を超えた角度でもよい。
【符号の説明】
【００７６】
１  撮像装置
２０  表示装置（表示部）
１３０  接眼部（制限部）
１３６  規制部（制限部）
【図１】
2020091406.tif 000003
【図２】
2020091406.tif 000004
【図３】
2020091406.tif 000005
【図４】
2020091406.tif 000006
【図５】
2020091406.tif 000007
【図６】
2020091406.tif 000008
【図７】
2020091406.tif 000009
【図８】
2020091406.tif 000010
【図９】
2020091406.tif 000011
【図１０】
2020091406.tif 000012
【図１１】
2020091406.tif 000013